(57)【特許請求の範囲】
【請求項１】
ユーザ装置(UE)で、ネットワークエンティティから送信電力制御(TPC)コマンドを受信するステップであって、前記TPCコマンドがTPCスロットの1つまたは複数のTPCスロットセットに分割される、ステップと、
前記TPCスロットセットのTPCスロットに対する復号されたシンボルをもたらす、前記1つまたは複数のTPCスロットセットの中のTPCスロットセットのTPCスロットを復号するステップと、
前記1つまたは複数のTPCスロットセットの各々における幾つかのTPCスロットの復号を省略するステップと、
前記TPCスロットの復号されたシンボルが、前記TPCスロットセット内の以前の復号されたシンボルと不一致であるかどうかを決定するステップと、
前記TPCスロットの前記復号されたシンボルが、前記TPCスロットセットの前記以前の復号されたシンボルと不一致であるとの判定に基づいて、前記TPCスロットセットの復号を停止するステップと、
前記TPCスロットセットの復号の停止に基づいて、前記TPCスロットセットの最後まで前記UEの受信機を非アクティブ化するステップと
を備える、ワイヤレス通信の方法。
【請求項２】
前記TPCスロットセットの後に前記UEの前記受信機を再アクティブ化して、1つまたは複数の追加のTPCスロットセットまたはTPCコマンドを受信するステップをさらに備える、請求項1に記載の方法。
【請求項３】
前記1つまたは複数のTPCスロットセットが、各々が無線フレーム内の5つのTPCスロットを有する3つのTPCスロットセットに分割される、請求項1に記載の方法。
【請求項４】
前記受信されたTPCコマンドが音声のみの呼である、請求項1に記載の方法。
【請求項５】
前記受信されたTPCコマンドがパケット交換呼、または回路交換呼である、請求項1に記載の方法。
【請求項６】
前記受信されたTPCコマンドが複数の無線アクセスベアラ(MRAB)呼である、請求項1に記載の方法。
【請求項７】
前記TPCスロットの前記復号されたシンボルがUPコマンドかDPWNコマンドのいずれかである、請求項1に記載の方法。
【請求項８】
前記1つまたは複数のTPCスロットセットの各々における幾つかのTPCスロットの前記復号を省略する前記ステップが、前記1つまたは複数のTPCスロットセットの各々の最初の3つのTPCスロットを省略するステップを備える、請求項1に記載の方法。
【請求項９】
送信電力が、前記1つまたは複数のTPCスロットセットの各々の最後の2つのTPCスロットに基づいて変化する、請求項1に記載の方法。
【請求項１０】
少なくとも1つのプロセッサと、
前記少なくとも1つのプロセッサに結合されたメモリと
を備え、前記少なくとも1つのプロセッサが、
ユーザ装置(UE)で、ネットワークエンティティから送信電力制御(TPC)コマンドを受信することであって、前記TPCコマンドがTPCスロットの1つまたは複数のTPCスロットセットに分割される、受信することと、
前記TPCスロットセットのTPCスロットに対する復号されたシンボルをもたらす、前記1つまたは複数のTPCスロットセットの中のTPCスロットセットのTPCスロットを復号することと、
前記1つまたは複数のTPCスロットセットの各々における幾つかのTPCスロットの復号を省略することと、
前記TPCスロットの復号されたシンボルが、前記TPCスロットセット内の以前の復号されたシンボルと不一致であるかどうかを決定することと、
前記TPCスロットの前記復号されたシンボルが、前記TPCスロットセットの前記以前の復号されたシンボルと不一致であるとの判定に基づいて、前記TPCスロットセットの復号を停止することと、
前記TPCスロットセットの復号の停止に基づいて、前記TPCスロットセットの最後まで前記UEの受信機を非アクティブ化することとを行う
ように構成される、ワイヤレス通信の装置。
【請求項１１】
前記少なくとも1つのプロセッサが、
前記TPCスロットセットの後に前記UEの前記受信機を再アクティブ化して、1つまたは複数の追加のTPCスロットセットまたはTPCコマンドを受信するようにさらに構成される、請求項10に記載の装置。
【請求項１２】
前記1つまたは複数のTPCスロットセットが、各々が無線フレーム内の5つのTPCスロットを有する3つのTPCスロットセットに分割される、請求項10に記載の装置。
【請求項１３】
前記受信されたTPCコマンドが音声のみの呼である、請求項10に記載の装置。
【請求項１４】
前記受信されたTPCコマンドがパケット交換呼、または回路交換呼である、請求項10に記載の装置。
【請求項１５】
前記受信されたTPCコマンドが複数の無線アクセスベアラ(MRAB)呼である、請求項10に記載の装置。
【請求項１６】
前記TPCスロットの前記復号されたシンボルがUPコマンドかDPWNコマンドのいずれかである、請求項10に記載の装置。
【請求項１７】
前記1つまたは複数のTPCスロットセットの各々における幾つかのTPCスロットの前記復号を省略するように構成された前記少なくとも1つのプロセッサが、前記1つまたは複数のTPCスロットセットの各々の最初の3つのTPCスロットを省略するようにさらに構成される、請求項10に記載の装置。
【請求項１８】
送信電力が、前記1つまたは複数のTPCスロットセットの各々の最後の2つのTPCスロットに基づいて変化する、請求項10に記載の装置。
【請求項１９】
ユーザ装置(UE)で、ネットワークエンティティから送信電力制御(TPC)コマンドを受信するための手段であって、前記TPCコマンドがTPCスロットの1つまたは複数のTPCスロットセットに分割される、手段と、
前記TPCスロットセットのTPCスロットに対する復号されたシンボルをもたらす、前記1つまたは複数のTPCスロットセットの中のTPCスロットセットのTPCスロットを復号するための手段と、
前記1つまたは複数のTPCスロットセットの各々における幾つかのTPCスロットの復号を省略するための手段と、
前記TPCスロットの復号されたシンボルが、前記TPCスロットセット内の以前の復号されたシンボルと不一致であるかどうかを決定するための手段と、
前記TPCスロットの前記復号されたシンボルが、前記TPCスロットセットの前記以前の復号されたシンボルと不一致であるとの判定に基づいて、前記TPCスロットセットの復号を停止するための手段と、
前記TPCスロットセットの復号の停止に基づいて、前記TPCスロットセットの最後まで前記UEの受信機を非アクティブ化するための手段と
を備える、ワイヤレス通信の装置。
【発明の詳細な説明】
【技術分野】
【０００１】
米国特許法第119条に基づく優先権の主張
本特許出願は、本出願の譲受人に譲渡され、参照により本明細書に明確に組み込まれる、2012年12月3日に出願された「METHOD AND APPARATUS FOR EARLY TERMINATION OF AN RX CHAIN」と題する米国仮出願第61/732,811号の優先権を主張する。
【０００２】
本開示の態様は全般にワイヤレス通信システムに関し、より詳細には、ユーザ装置(UE)の接続状態の間の呼性能および消費電力を改善して、それによってワイヤレス通信システムにおける一貫したサービスを提供するための装置および方法に関する。
【背景技術】
【０００３】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM（登録商標）)技術の後継であり、広帯域符号分割多元接続(W-CDMA（登録商標）)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような拡張3Gデータ通信プロトコルもサポートする。
【０００４】
ほとんどのワイヤレス通信システムでは、ネットワークエンティティへのUEの接続状態が向上された通話時間と低消費電力を可能にするときに、重要な利点がもたらされる。呼の送信時間間隔(TTI)の終了前であってもUEがその受信機をオフにする特定の条件が満たされる場合、フレーム早期終了(FET)アルゴリズムと呼ばれるアルゴリズムが利用される。このように、「通話時間」メトリックを向上させるために、UEによる電流の消費を節約することは、FETアルゴリズムの態様を利用することによって達成され得る。
【０００５】
したがって、本装置および方法の態様は、呼のFET性能を改善して、それによってネットワークエンティティとの接続状態の間のUEの呼性能および消費電力を改善するステップを含む。
【発明の概要】
【課題を解決するための手段】
【０００６】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
UEの接続状態の間の呼性能および消費電力を改善するための、ワイヤレス通信のための方法および装置が提供される。本方法および装置の態様は、ネットワークエンティティから送信電力制御(TPC)コマンドを受信して、TPCコマンドのすべてのTPCスロットを復号するステップに関する。本方法および装置の態様は、TPCスロットの現在の復号されたシンボルが、TPCスロットの以前の復号されたシンボルと不一致である場合、TPCスロットセットの復号を停止するステップを含む。次いで、UEの受信機が、TPCスロットセットの最後まで非アクティブ化(deactivated)される。
【０００８】
呼性能および消費電力を改善するための方法が提供される。本方法は、ネットワークエンティティからTPCコマンドを受信するステップであって、TPCコマンドがTPCスロットに分割される、ステップと、TPCコマンドのすべてのTPCスロットの復号されたシンボルをもたらすTPCコマンドのすべてのTPCスロットを復号するステップとを含む。さらに、本方法は、TPCスロットの現在の復号されたシンボルが、TPCスロット内の以前の復号されたシンボルと不一致である時を決定するステップと、TPCスロットの現在の復号されたシンボルが、TPCスロットの以前の復号されたシンボルと不一致である場合、TPCスロットセットの復号を停止するステップとを含む。さらに、本方法は、TPCスロットセットの最後までUEの受信機を非アクティブ化するステップを含む。
【０００９】
別の態様では、呼性能および消費電力を改善するための装置が提供される。本装置は、ネットワークエンティティからTPCコマンドを受信することであって、TPCコマンドがTPCスロットに分割される、受信することと、TPCコマンドのすべてのTPCスロットの復号されたシンボルをもたらすTPCコマンドのすべてのTPCスロットを復号することとを行うように構成されたプロセッサを含む。さらに、本プロセッサは、TPCスロットの現在の復号されたシンボルが、TPCスロットセット内の以前の復号されたシンボルと不一致である時を決定し、TPCスロットの現在の復号されたシンボルが、TPCスロットの以前の復号されたシンボルと不一致である場合、TPCスロットセットの復号を停止するように構成される。さらに、本プロセッサは、TPCスロットセットの最後までUEの受信機を非アクティブ化するように構成される。
【００１０】
別の態様では、ネットワークエンティティからTPCコマンドを受信するための手段であって、TPCコマンドがTPCスロットに分割される、手段と、TPCコマンドのすべてのTPCスロットの復号されたシンボルをもたらすTPCコマンドのすべてのTPCスロットを復号するための手段とを含む、呼性能および消費電力を改善するため装置が提供される。さらに、本装置は、TPCスロットの現在の復号されたシンボルが、TPCスロット内の以前の復号されたシンボルと不一致である時を決定するための手段と、TPCスロットの現在の復号されたシンボルが、TPCスロットの以前の復号されたシンボルと不一致である場合、TPCスロットセットの復号を停止するための手段とを含む。さらに、本装置は、TPCスロットセットの最後までUEの受信機を非アクティブ化するための手段を含む。
【００１１】
別の態様では、ネットワークエンティティからTPCコマンドを受信することであって、TPCコマンドがTPCスロットに分割される、受信することと、TPCコマンドのすべてのTPCスロットの復号されたシンボルをもたらすTPCコマンドのすべてのTPCスロットを復号することとを行うための機械実行可能コードを含む、呼性能および消費電力を改善するためコンピュータ可読記録媒体が提供される。さらに、本コードは、TPCスロットの現在の復号されたシンボルが、TPCスロット内の以前の復号されたシンボルと不一致である時を決定し、TPCスロットの現在の復号されたシンボルが、TPCスロットの以前の復号されたシンボルと不一致である場合、TPCスロットセットの復号を停止するために実行可能でよい。さらに、本コードは、TPCスロットセットの最後までUEの受信機を非アクティブ化するために実行可能でよい。
【００１２】
上記の目的および関連の目的の達成のために、1つまたは複数の態様は、以下で十分に説明され特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１３】
【図１】ワイヤレス通信システムにおける呼処理の例示的な態様を示す概略図である。
【図２】ワイヤレス通信システムにおける呼処理の別の例示的な態様を示す概略図である。
【図３】ワイヤレス通信システムにおける呼処理のための例示的な方法を示す流れ図である。
【図４】本開示による、呼処理構成要素を有するコンピュータデバイスのある態様のさらなる例示的な構成要素を示すブロック図である。
【図５】本開示によって企図される、電気的構成要素の論理グループの態様を示す構成要素図である。
【図６】本明細書に記載の機能を実行するために、処理システムを用いる装置のハードウェア実装形態の例を示すブロック図である。
【図７】本明細書に記載の機能を実行するように構成されたUEを含む遠隔通信システムの例を概念的に示すブロック図である。
【図８】本明細書に記載の機能を実行するように構成されたUEで使用するための、アクセスネットワークの例を示す概念図である。
【図９】本明細書に記載の機能を実行するように構成された基地局および/またはUEのユーザおよび制御プレーンのための無線プロトコルアーキテクチャの例を示す概念図である。
【図１０】本明細書に記載の機能を実行するように構成された遠隔通信システムにおいてUEと通信しているNodeBの例を概念的に示すブロック図である。
【発明を実施するための形態】
【００１４】
添付の図面に関する下記の詳細な説明は、様々な構成の説明として意図されており、本明細書で説明する概念が実行され得る唯一の構成を表すように意図されているわけではない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１５】
上述のように、3GPP仕様で許可される、2つのタイプのアップリンク電力制御アルゴリズム(PCA)(すなわち、アップリンクの間にUEの送信電力を制御するために、ダウンリンクの間にNodeBによってシグナリングされるUP/DOWNコマンド)、PCA1およびPCA2がある。PCA2の目的は、主に、異なるUEの個々の送信電力のばらつきを低減することによって、アップリンク干渉を安定化させることである。PCA2は、交互に一続きのTPCコマンド(an alternating series of TPC commands)を送信することによって、アップリンク電力制御を効果的にオフにする。
【００１６】
呼のTTIの終了前であってもUEがその受信機をオフにする特定の条件が満たされる場合、FETアルゴリズムと呼ばれる別のアルゴリズムが利用される。一般的に、TPCコマンドは、無線フレーム内の5つのTPCサブコマンドの3つのセットに分割され得る。FETアルゴリズムがUPコマンドを決定できるようにするために、(5つの連続するスロットからの)すべての連続する受信された5つのTPCコマンドがUPでなければならず、また究極のDOWNコマンドを決定するために、(5つの連続するスロットからの)すべての連続する5つのTPCコマンドはDOWNでなければならない。このように、無線フレームごとに究極のUPまたはDOWNコマンドが3つだけあってよい(15スロット、または10ミリ秒)。しかしながら、5つのTPCコマンドのセット内に不一致がある場合、UEは、5つのスロットグループの終了後まで送信電力を変更しない。
【００１７】
PCA2との呼のために、提案されたアルゴリズムとともにFETアルゴリズムを利用して操作することによって、ネットワークエンティティとの接続状態の間のUEの呼性能および消費電力における改善が達成され得る。
【００１８】
図1を参照すると、一態様では、ワイヤレス通信システム100は、モバイルデバイスからネットワークに大量のデータを送信することを容易にするように構成されている。ワイヤレス通信システム100は、これに限定されないが、ワイヤレスサービングノード116を含むサービングノードを介して、1つまたは複数のワイヤレスリンク125を介して、1つまたは複数のネットワーク112とワイヤレスに通信し得る少なくとも1つのUE114を含む。1つまたは複数のワイヤレスリンク125は、これに限定されないが、シグナリング無線ベアラおよび/またはデータ無線ベアラを含み得る。ワイヤレスサービングノード116は、1つもしくは複数の信号123を、1つまたは複数のワイヤレスリンク125を介してUE114に送信するように構成されてよく、および/またはUE114は1つもしくは複数の信号124をワイヤレスサービングノード116に送信してよい。ある態様では、信号123および信号124は、これに限定されないが、ワイヤレスサービングノード116を介してUE114からネットワークにデータを送信するなどの、1つまたは複数のメッセージを含み得る。
【００１９】
UE114はモバイル装置を備えてよく、本開示を通じてそのように呼ばれることがある。そのようなモバイル装置またはUE114は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、またはいくつかの他の適切な用語で呼ばれることもある。
【００２０】
さらに、これに限定されないが、ワイヤレス通信システム100のワイヤレスサービングノード116を含む1つまたは複数のワイヤレスノードは、基地局またはNodeB、リレー、ピアツーピアデバイス、認証、許可、課金(AAA)サーバ、モバイル交換センター(MSC)、無線ネットワークコントローラ(RNC)等を含むアクセスポイントなどの、任意のタイプのネットワーク構成要素のうちの1つまたは複数を含み得る。さらなる態様では、ワイヤレス通信システム100の1つまたは複数のワイヤレスサービングノードは、これに限定されないが、フェムトセル、ピコセル、マクロセル、または任意の他の小さい基地局などの、1つまたは複数の小さい基地局を含み得る。
【００２１】
図2を参照すると、本装置および方法のある態様では、ワイヤレス通信システム100は、ネットワーク112とUE114との間のワイヤレス通信を含むように構成されている。ワイヤレス通信システムは、いくつかのユーザ間の通信をサポートするように構成され得る。図2は、ワイヤレスリンク125を介してネットワーク112がUE114と通信する方法を示している。ワイヤレス通信システム100は、ネットワーク112とUE114との間の上向き/下向き矢印によって表されるように、ダウンリンクメッセージ送信またはアップリンクメッセージ送信のために構成され得る。
【００２２】
ある態様では、UE114内に、呼処理構成要素140が常駐している。呼処理構成要素140は、とりわけ、UEでネットワークエンティティからTPCコマンドを受信することができる受信構成要素142を含むように構成されてよく、TPCコマンドはTPCスロットに分割される。実際、TPCコマンド152は、無線フレーム内の5つのTPCスロットの3つのセットに分割され得る。たとえば、受信構成要素142は、ワイヤレスリンク125を介して、UE114でネットワーク112からTPCコマンド152を受信するように構成されており、TPCコマンド152は、TPCスロット0〜4、スロット5〜9、およびスロット10〜14の、3つのTPCスロットセットに分割される。
【００２３】
また、受信されたTPCコマンドは音声のみの呼、パケット交換呼、回路交換呼、または複数の無線アクセスベアラ(MRAB)呼でよい点に留意されたい。
【００２４】
また、呼処理構成要素140は、TPCコマンドのすべてのTPCスロットの復号されたシンボルをもたらすTPCコマンドのすべてのTPCスロットを復号することができる復号構成要素143を含むように構成され得る。たとえば、復号構成要素143は、ワイヤレスリンク125を介してUE114でネットワーク112から受信されたTPCコマンド152のTPCスロット0〜14を復号するように構成される。
【００２５】
さらに、呼処理構成要素140は、TPCスロットの現在の復号されたシンボルが、TPCスロット内の以前の復号されたシンボルと不一致である時を決定することができる決定構成要素144を含むように構成され得る。たとえば、決定構成要素144は、ワイヤレスリンク125を介してUE114でネットワーク112から受信されたTPCコマンド152のTPCスロット0〜14の現在の復号されたシンボルが、ワイヤレスリンク125を介してUE114でネットワーク112から受信されたTPCコマンド152のTPCスロット0〜14内の以前の復号されたシンボルと不一致であると決定するように構成される。
【００２６】
別の態様では、呼処理構成要素140は、TPCスロット内の現在の復号されたシンボルが、TPCスロットの以前の復号されたシンボルと不一致である場合、TPCスロットセットの復号を停止することができる停止構成要素145を含むように構成され得る。上述のように、TPCコマンド152は、TPCスロット0〜4、スロット5〜9、およびスロット10〜14のセットに分割される。たとえば、停止構成要素145は、ワイヤレスリンク125を介してUE114でネットワーク112から受信された、TPCコマンド152のTPCスロット0〜4のTPCスロットの現在の復号されたシンボルが、TPCコマンド152のTPCスロット0〜4のTPCスロットの以前の復号されたシンボルと不一致である場合、TPCスロットセットの復号を停止するように構成される。また、停止構成要素は、TPCコマンド152のTPCスロット5〜9(または、10〜14)のTPCスロットの現在の復号されたシンボルが、TPCコマンド152のTPCスロット5〜9(または、10〜14)のTPCスロットの以前の復号されたシンボルと不一致である場合、復号を停止するように構成され得る。
【００２７】
さらに、呼処理構成要素140は、TPCスロットセットの最後までUEの受信機を非アクティブ化することができる非アクティブ化構成要素146を含むように構成され得る。たとえば、非アクティブ化構成要素146は、ワイヤレスリンク125を介してUE114でネットワーク112から受信された、TPCコマンド152のTPCスロット0〜4、5〜9、または10〜14の現在の復号されたシンボルが、TPCコマンド152のTPCスロット0〜4、5〜9、または10〜14のTPCスロット内の以前の復号されたシンボルと不一致である場合、TPCスロットセット0〜4の最後までUE114の受信機を非アクティブ化するように構成される。
【００２８】
任意で、呼処理構成要素140は、各TPCスロットセット内のあらかじめ定められた数のTPCスロットの復号を省略することができる省略構成要素147を含むように構成され得る。たとえば、省略構成要素147は、TPCコマンド152のTPCスロット3〜4を復号する前に、ワイヤレスリンク125を介してUE114でネットワーク112から受信されたTPCコマンド152のTPCスロット0〜2の復号を省略することができる。言い換えれば、TPCスロットセットのすべてのグループの最初の3つのTPCスロットの復号が省略される。
【００２９】
上述のように、TPCコマンド152は、無線フレーム内の5つのTPCスロットの3つのセットに分割され得る。以前のシステムでは、5つのTPCコマンドのセット内に不一致がある場合、UEは、5つのスロットグループの終了後まで送信電力を変更しない。しかしながら、上記の方法の態様によって、TPCスロット内のUPコマンドとDOWNコマンドとの間に不一致があれば、送信電力の変更が可能になる。
【００３０】
言い換えれば、TPCスロット内のTPCシンボルが復号される場合、UEは、UEが不一致に出会うまで復号を継続する。その後、UEはそれ以上復号せず、5つのスロットグループの時間が経過して、次の5つのセットが現れるまで受信機をオフにする。また、受信機は、TPCコマンドの各TPCスロットセット内のTPCシンボルを復号するために、すべてのスロットセット内で再アクティブ化する点に留意されたい。
【００３１】
ある態様では、TPCスロット0〜4で復号されたTPCコマンド152内のTPCシンボルが、00000のTPCパターンである場合、最初の4つのシンボルがすべて一致しているので、UE114は5番目のスロットまで復号する。さらに、UE114の受信機はオフにされない。
【００３２】
別の態様では、TPCスロット0〜4で復号されたTPCコマンド152内のTPCシンボルが、11111のTPCパターンである場合、最初の4つのシンボルがすべて一致しているので、UE114は5番目のスロットまで復号する。さらに、受信機はオフにされない。
【００３３】
別の態様では、TPCスロット0〜4で復号されたTPCコマンド152内のTPCシンボルが、10111のTPCパターンである場合、UE114は、最初の2つのスロット内に不一致があるので、2番目のスロット後は復号する必要がない。さらに、UE114の受信機がオフにされ、最後の3つのスロット用の送信電力を節約する。
【００３４】
別の態様では、TPCスロット0〜4で復号されたTPCコマンド152内のTPCシンボルが、11011のTPCパターンである場合、UE114は、最初の3つのスロット内に不一致があるので、3番目のスロット後は復号する必要がない。さらに、UE114の受信機がオフにされ、最後の2つのスロット用の送信電力を節約する。
【００３５】
別の任意の態様では、TPCスロットのグループにおいて、TPCコマンド152内の最後の2つのTPCシンボルだけが復号される。上述のように、UE114がTPCコマンド152のTPCスロット3〜4を復号する前に、TPCコマンド152のTPCスロット0〜2の復号は省略される。UE114がTPCコマンド復号を省略する場合、TPCスロットセット全体の間、送信電力はオフにされず、送信電力は同じままである点に留意されたい。しかしながら、送信電力は、TPCコマンドの最後の2つのスロットの決定に基づいて変化し得る。たとえば、ネットワークから受信された最後の2つのTPCコマンド間に不一致がある場合、次のTPCスロットセットの送信電力は同じままである。しかしながら、最後の2つのコマンドの両方がUP(0,0,0,1,1)の場合、送信電力は、次のTPCスロットセットの開始時に1デシベル上昇する。最後の2つのTPCコマンドの両方がDOWN(1,1,1,0,0)の場合、送信電力は、次のTPCスロットセットの開始時に1デシベル低下する。
【００３６】
図3は、例示的な方法300を示す流れ図である。352で、UEがネットワークエンティティからTPCコマンドを受信して、TPCコマンドがTPCスロットに分割される。たとえば、図2を参照して上述したように、受信構成要素142は、ワイヤレスリンク125を介してUE114でネットワーク112からTPCコマンド152を受信するように構成されており、TPCコマンドはTPCスロット0〜14に分割される。
【００３７】
353で、TPCコマンドのすべてのTPCスロットの復号されたシンボルをもたらすTPCコマンドのすべてのTPCスロットを復号する。たとえば、図2を参照して上述したように、ネットワークエンティティからTPCコマンドを受信した後、復号構成要素143は、ワイヤレスリンク125を介してUE114でネットワーク112から受信されたTPCコマンド152のTPCスロット0〜14を復号するように構成される。
【００３８】
354で、UEは、TPCスロットの現在の復号されたシンボルが、TPCスロット内の以前の復号されたシンボルと不一致である時を決定する。たとえば、図2を参照して上述したように、TPCコマンドのすべてのTPCスロットの復号されたシンボルをもたらすTPCコマンドのすべてのTPCスロットを復号した後、決定構成要素144が、ワイヤレスリンク125を介してUE114でネットワーク112から受信されたTPCコマンド152のTPCスロット0〜14の現在の復号されたシンボルが、TPCコマンド152のTPCスロット0〜14内の以前の復号されたシンボルと不一致であると決定するように構成される。
【００３９】
355で、TPCスロットの現在の復号されたシンボルが、TPCスロットセット内の以前の復号されたシンボルと不一致である場合、UEがTPCスロットセットの復号を停止する。たとえば、図2を参照して上述したように、TPCスロットの現在の復号されたシンボルが、TPCスロット内の以前の復号されたシンボルと不一致である時を決定した後、停止構成要素145は、ワイヤレスリンク125を介してUE114でネットワーク112から受信されたTPCコマンド152のTPCスロット0〜4、5〜9、または10〜14のTPCスロットの現在の復号されたシンボルが、TPCコマンド152のTPCスロット0〜4、5〜9、または10〜14のTPCスロットの以前の復号されたシンボルと不一致である場合、TPCスロットセットの復号を停止するように構成される。
【００４０】
356で、UEが、TPCスロットセットの最後まで受信機を非アクティブ化する。たとえば、図2を参照して上述したように、TPCスロットの現在の復号されたシンボルが、TPCスロットセット内の以前の復号されたシンボルと不一致である場合、TPCスロットセットの復号を停止した後、非アクティブ化構成要素146は、ワイヤレスリンク125を介してUE114でネットワーク112から受信された、TPCコマンド152のTPCスロット0〜4、5〜9、または10〜14の現在の復号されたシンボルが、TPCコマンド152のTPCスロット0〜4、5〜9、または10〜14のTPCスロット内の以前の復号されたシンボルと不一致である場合、TPCスロットセット0〜4の最後までUE114の受信機を非アクティブ化するように構成される。
【００４１】
ある態様では、たとえば、UE実行方法300は、呼処理構成要素140(図1)を実行しているUE114(図1)でもよく、そのそれぞれの構成要素でもよい。
【００４２】
したがって、本装置および方法の態様は、ネットワークエンティティとの接続状態の間のUEの呼性能および消費電力を改善するステップを含む。
【００４３】
図4のコンピュータシステム400を参照すると、一態様では、図1および図2のUE114および/またはワイヤレスサービングノード116は、特別にプログラムされた、または構成されたコンピュータデバイス480によって表すことができ、本明細書に記載されるように、特別なプログラミングまたは構成は呼処理構成要素140を含む。たとえば、UE114としての実装形態(図1および図2)では、コンピュータデバイス480は、特別にプログラムされたコンピュータ可読命令もしくはコード、ファームウェア、ハードウェア、またはそれらの何らかの組合せなどで、ワイヤレスサービングノード116を介してUE114からネットワーク112にデータを計算して送信するための1つまたは複数の構成要素を含み得る。コンピュータデバイス480は、本明細書に記載の構成要素および機能のうちの1つまたは複数に関連付けられる処理機能を実行するためのプロセッサ482を含む。プロセッサ482は、単一もしくは複数のセットのプロセッサ、またはマルチコアプロセッサを含むことができる。さらに、プロセッサ482は、統合処理システムおよび/または分散処理システムとして実装され得る。
【００４４】
コンピュータデバイス480は、本明細書で使用されるデータ、および/またはプロセッサ482によって実行されているアプリケーションのローカルバージョンを格納するためなどの、メモリ484をさらに含む。メモリ484は、ランダムアクセスメモリ(RAM)、読出し専用メモリ(ROM)、テープ、磁気ディスク、光ディスク、揮発性メモリ、不揮発性メモリ、およびそれらの任意の組合せなどの、コンピュータによって使用可能な任意のタイプのメモリを含むことができる。
【００４５】
さらに、コンピュータデバイス480は、本明細書に記載のハードウェア、ソフトウェア、およびサービスを利用して1つまたは複数の相手との通信を確立して維持するステップを提供する、通信構成要素486を含む。通信構成要素486は、コンピュータデバイス480上の構成要素間、かつコンピュータデバイス480と、通信ネットワークにわたって配置されたデバイスおよび/もしくはコンピュータデバイス480に連続的またはローカルに接続されたデバイスなどの外部デバイスとの間の通信を搬送することができる。たとえば、通信構成要素486は、1つもしくは複数のバスを含むことができ、送信機に関連付けられる送信チェーン構成要素、および受信機に関連付けられる受信チェーン構成要素、または外部デバイスとインターフェースするために動作可能なトランシーバをさらに含むことができる。たとえば、ある態様では、通信構成要素486の受信機は、メモリ484の一部でよいワイヤレスサービングノード116を介して1つまたは複数のデータを受信するために動作する。
【００４６】
さらに、コンピュータデバイス480は、本明細書に記載の態様に関連して用いられる情報、データベース、およびプログラムの大容量記憶装置を提供する、ハードウェアおよび/またはソフトウェアの任意の適切な組合せでよい、データストア488をさらに含み得る。たとえば、データストア488は、プロセッサ482によって現在実行されていないアプリケーションのためのデータリポジトリでよい。
【００４７】
コンピュータデバイス480は、コンピュータデバイス480のユーザから入力を受け取るように動作可能で、ユーザへの提示のための出力を生成するようにさらに動作可能な、ユーザインターフェース構成要素489をさらに含み得る。ユーザインターフェース構成要素489は、これに限定されないが、キーボード、ナンバーパッド、マウス、タッチ感知式ディスプレイ、ナビゲーションキー、ファンクションキー、マイクロフォン、音声認識構成要素、ユーザからの入力を受け取ることが可能な任意の他の機構、またはそれらの任意の組合せを含む、1つまたは複数の入力デバイスを含み得る。さらに、ユーザインターフェース構成要素489は、これに限定されないが、ディスプレイ、スピーカー、触覚フィードバック機構、プリンタ、ユーザに出力を提示することが可能な任意の他の機構、またはそれらの任意の組合せを含む、1つまたは複数の出力デバイスを含み得る。
【００４８】
さらに、コンピュータデバイス480は、本明細書に記載の機能を実行するように構成され得る呼処理構成要素140を含んでもよく、それと通信してもよい。
【００４９】
図5を参照すると、モバイルデバイスからネットワークに大量のデータを送信するための、例示的システム590が表示されている。たとえば、システム590は、図1および図2のUE114内に少なくとも部分的に常駐することができる。システム590は、プロセッサ、ソフトウェア、またはそれらの組合せ(たとえば、ファームウェア)によって実装される機能を表す機能ブロックでよい、機能ブロックを含むものとして表されることが理解されるべきである。たとえば、システム590は、たとえば、メモリ484および/またはデータストア488によって格納されたソフトウェアを実行しているプロセッサ482によって、図4のプロセッサ482、メモリ484、通信構成要素486、およびデータストア488を介して実装され得る。
【００５０】
例示的なシステム590は、連携して動作することができる電気的構成要素の論理グループ591を含む。たとえば、論理グループ591は、UEでネットワークエンティティからTPCコマンドを受信するための電気的構成要素592を含むことができ、TPCコマンドはTPCスロットに分割される。ある態様では、電気的構成要素592は、受信構成要素142(図2)を含み得る。
【００５１】
さらに、論理グループ591は、TPCコマンドのすべてのTPCスロットの復号されたシンボルをもたらすTPCコマンドのすべてのTPCスロットを復号するための電気構成要素593を含み得る。ある態様では、電気的構成要素593は、復号構成要素143(図2)を含み得る。
【００５２】
さらに、論理グループ591は、TPCスロットの現在の復号されたシンボルが、TPCスロット内の以前の復号されたシンボルと不一致である時を決定するための電気構成要素594を含むことができる。ある態様では、電気的構成要素594は、決定構成要素144(図2)を含み得る。
【００５３】
論理グループ591は、TPCスロットの現在の復号されたシンボルが、TPCスロットの以前の復号されたシンボルと不一致である場合、TPCスロットセットの復号を停止するための電気的構成要素595を含むことができる。ある態様では、電気的構成要素595は、停止構成要素145(図2)を含み得る。
【００５４】
論理グループ591は、TPCスロットセットの最後までUEの受信機(Rx)を非アクティブ化するための電気的構成要素596を含むことができる。ある態様では、電気的構成要素596は、非アクティブ化構成要素146(図2)を含み得る。
【００５５】
電気的構成要素592〜596は、図2における1つまたは複数の構成要素に対応することができ、そのような構成要素は、別々の物理構成要素でもよく、プロセッサ482(図4)によって実装される構成要素でもよく、それらの組合せでもよい。
【００５６】
さらに、システム590は、電気的構成要素592〜596に関連付けられる機能を実行するための命令を保持して、電気的構成要素592〜596等によって使用または取得されるデータを格納する、メモリ599を含むことができる。メモリ599の外部にあるものとして示されているが、電気的構成要素592〜596のうちの1つまたは複数はメモリ599内に存在し得ることが理解されるべきである。一例では、電気的構成要素592〜596は、少なくとも1つのプロセッサを備えてよく、各電気的構成要素592〜596は、少なくとも1つのプロセッサの対応するモジュールでよい。さらに、追加または代替の例では、電気的構成要素592〜596はコンピュータ可読記録媒体を含むコンピュータプログラム製品でよく、各電気的構成要素592〜596は対応するコードでよい。
【００５７】
図6は、処理システム614を用いる装置600のハードウェア実装形態の例を示すブロック図である。装置600は、たとえば、ワイヤレス通信システム100(図1および図2)、かつ/または、受信構成要素142、復号構成要素143、決定構成要素144、停止構成要素145、および非アクティブ化構成要素146などの上述の構成要素を実装している呼処理構成要素140(図1および図2)を含むように構成され得る。この例では、処理システム614は、バス602によって全般的に表されるバスアーキテクチャで実装され得る。バス602は、処理システム614の具体的な用途および全体的な設計制約に応じて、任意の数の相互接続するバスおよびブリッジを含み得る。バス602は、プロセッサ604によって概略的に表される1つまたは複数のプロセッサ、およびコンピュータ可読記録媒体606によって概略的に表されるコンピュータ可読記録媒体を含む様々な回路を互いにリンクさせる。バス602は、タイミングソース、周辺機器、電圧調整器、および電力管理回路など、様々な他の回路をリンクさせることもでき、これらの回路は当技術分野でよく知られており、したがって、これ以上は説明しない。バスインターフェース608は、バス602とトランシーバ610との間にインターフェースを提供する。トランシーバ610は、送信媒体上の様々な他の装置と通信するための手段を提供する。また、装置の性質に応じて、ユーザインターフェース612(たとえば、キーパッド、ディスプレイ、スピーカー、マイクロフォン、ジョイスティックなど)が設けられてもよい。
【００５８】
プロセッサ604は、バス602の管理、およびコンピュータ可読記録媒体606上に記憶されたソフトウェアの実行を含む全般的な処理を受け持つ。ソフトウェアは、プロセッサ604によって実行されると、任意の特定の装置の以下で説明される様々な機能を処理システム614に実行させる。コンピュータ可読記録媒体606は、ソフトウェアを実行するときにプロセッサ604によって操作されるデータを記憶するために使用されてもよい。
【００５９】
ある態様では、プロセッサ604、コンピュータ可読記録媒体606、またはその両方の組合せは、本明細書に記載されるように、呼処理構成要素140(図1および図2)の機能を実行するように構成されてもよく、そのように特別にプログラムされてもよい。
【００６０】
本開示全体にわたって提示される様々な概念は、広範な電気通信システム、ネットワークアーキテクチャ、および通信規格にわたって実装され得る。
【００６１】
図7を参照すると、一例として、これに限定されないが、本開示の態様は、W-CDMA（登録商標）エアインターフェースを採用するUMTSシステム700を参照して提示されている。UMTSネットワークは、コアネットワーク(CN)704、UMTS Terrestrial Radio Access Network(UTRAN)702、およびユーザ機器(UE)710の3つの相互作用する領域を含む。UE710は、たとえば、受信構成要素142、復号構成要素143、決定構成要素144、停止構成要素145、および非アクティブ化構成要素146などの上述の構成要素を実装している呼処理構成要素140(図1および図2)を含むように構成され得る。この例では、UTRAN702は、電話、ビデオ、データ、メッセージング、ブロードキャスト、および/または他のサービスを含む様々なワイヤレスサービスを提供する。UTRAN702は、無線ネットワークコントローラ(RNC)706などのそれぞれのRNCによって各々制御される、無線ネットワークサブシステム(RNS)707などの複数のRNSを含み得る。ここで、UTRAN702は、本明細書で説明するRNC706およびRNS707に加えて、任意の数のRNC706およびRNS707を含むことができる。RNC706は、とりわけ、RNS707内の無線リソースの割り当て、再構成、および解放を担う装置である。RNC706は、任意の適切なトランスポートネットワークを使用する、直接の物理接続、仮想ネットワークなど様々なタイプのインターフェースを介して、UTRAN702中の他のRNC(図示せず)に相互接続され得る。
【００６２】
UE710とNodeB708との間の通信は、物理(PHY)層および媒体アクセス制御(MAC)層を含むものと見なされ得る。さらに、それぞれのNodeB708によるUE710とRNC706との間の通信は、無線リソース制御(RRC)層を含むものと見なされ得る。本明細書では、PHY層は、層1と見なされ、MAC層は、層2と見なされ、RRC層は、層3と見なされ得る。以下、情報は、参照により本明細書に組み込まれるRRC Protocol Specification、3GPP TS 25.331に述べられている用語を使用する。
【００６３】
RNS707によってカバーされる地理的領域は、いくつかのセルに分けることができ、無線トランシーバ装置が各セルにサービスする。無線トランシーバ装置は、通常、UMTS適用例ではNodeBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS707に3つのNodeB708が示されているが、RNS707は、任意の数のワイヤレスNodeBを含んでもよい。NodeB708は、ワイヤレスアクセスポイントを任意の数のモバイル装置のためのCN704に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオ装置、デジタルオーディオプレーヤ(たとえば、MP3プレーヤなど)、カメラ、ゲーム機、または任意の他の類似の機能デバイスなどがある。UE710は、通常、UMTS適用例ではUEと呼ばれるが、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、またはいくつかの他の適切な用語で呼ばれることもある。UMTSシステムでは、UE710は、ネットワークへのユーザの加入情報を含む汎用加入者識別モジュール(USIM)711をさらに含み得る。説明のために、1つのUE710がいくつかのNodeB708と通信しているように示される。順方向リンクとも呼ばれるダウンリンク(DL)は、NodeB708からUE710への通信リンクを指し、逆方向リンクとも呼ばれるアップリンク(UL)は、UE710からNodeB708への通信リンクを指す。
【００６４】
CN704は、UTRAN702など1つまたは複数のアクセスネットワークとインターフェースをとる。図示のように、CN704は、GSM（登録商標）コアネットワークである。しかしながら、当業者が認識するように、GSM（登録商標）ネットワーク以外のタイプのCNへのアクセスをUEに提供するために、本開示全体にわたって提示される様々な概念を、RANまたは他の適切なアクセスネットワークにおいて実装することができる。
【００６５】
CN704は、回線交換(CS)領域およびパケット交換(PS)領域を含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換領域とパケット交換領域の両方によって共有され得る。図示の例では、CN704は、MSC712およびGMSC714によって回線交換サービスをサポートする。いくつかの用途では、GMSC714は、メディアゲートウェイ(MGW)とも呼ばれ得る。RNC706のような1つまたは複数のRNCが、MSC712に接続され得る。MSC712は、呼設定、呼ルーティング、およびUEモビリティ機能を制御する装置である。MSC712は、UEがMSC712のカバレッジエリア内にある間に加入者関連の情報を格納するVLRも含む。GMSC714は、UEが回線交換ネットワーク716にアクセスするためのゲートウェイを、MSC712を通じて提供する。GMSC714は、特定のユーザが加入したサービスの詳細を反映するデータのような加入者データを格納するホームロケーションレジスタ(HLR)715を含む。HLRは、加入者に固有の認証データを格納する認証センター(AuC)とも関連付けられている。特定のUEについて、呼が受信されると、GMSC714は、UEの位置を判断するためにHLR715に問い合わせ、その位置でサービスする特定のMSCに呼を転送する。
【００６６】
CN704はまた、サービングGPRSサポートノード(SGSN)718およびゲートウェイGPRSサポートノード(GGSN)720によって、パケットデータサービスをサポートする。汎用パケット無線サービスを表すGPRSは、標準の回線交換データサービスで可能なものよりも速い速度でパケットデータサービスを提供するよう設計されている。GGSN720は、パケットベースネットワーク722へのUTRAN702の接続を提供する。パケットベースネットワーク722は、インターネット、プライベートデータネットワーク、または何らかの他の適切なパケットベースネットワークでもよい。GGSN720の一次機能は、UE710にパケットベースネットワーク接続を提供することである。データパケットは、MSC712が回線交換領域において実行するのと同じ機能をパケットベース領域において主に実行するSGSN718を介して、GGSN720とUE710との間で転送され得る。
【００６７】
UMTSのエアインターフェースは、スペクトラム拡散直接シーケンス符号分割多元接続(DS-CDMA)システムを利用してよい。スペクトラム拡散DS-CDMAは、チップと呼ばれる一連の疑似ランダムビットとの乗算によって、ユーザデータを拡散させる。UMTSの「広帯域」W-CDMA（登録商標）エアインターフェースは、そのような直接シーケンススペクトラム拡散技術に基づいており、さらに周波数分割複信(FDD)を必要とする。FDDは、NodeB708とUE710との間のULおよびDLに異なるキャリア周波数を使用する。DS-CDMAを利用し、時分割複信(TDD)を使用するUMTSの別のエアインターフェースは、TD-SCDMAエアインターフェースである。本明細書で説明される様々な例は、W-CDMA（登録商標）エアインターフェースを指し得るが、基礎をなす原理はTD-SCDMAエアインターフェースに等しく適用可能であり得ることを、当業者は理解するだろう。
【００６８】
HSPAエアインターフェースは、スループットの向上および遅延の低減を支援する、3G/W-CDMA（登録商標）エアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００６９】
HSDPAは、高速ダウンリンク共有チャネル(HS-DSCH)を、トランスポートチャネルとして利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００７０】
これらの物理チャネルの中でも、HS-DPCCHは、対応するパケット送信の復号が成功したかどうかを示すための、HARQ ACK/NACKシグナリングをアップリンクで搬送する。つまり、ダウンリンクに関して、UE710は、ダウンリンク上のパケットを正常に復号したかどうかを示すために、HS-DPCCHを通じてフィードバックをノードB708に与える。
【００７１】
HS-DPCCHはさらに、変調方式と符号化方式の選択、およびプリコーディングの重みの選択に関して、ノードB708が正しい決定を行うのを支援するための、UE710からのフィードバックシグナリングを含み、このフィードバックシグナリングはCQIおよびPCIを含む。
【００７２】
「HSPA Evolved」またはHSPA+は、MIMOおよび64-QAMを含むHSPA規格の進化形であり、スループットの増大およびパフォーマンスの向上を可能にする。つまり、本開示のある態様では、ノードB708および/またはUE710は、MIMO技術をサポートする複数のアンテナを有し得る。MIMO技術の使用により、ノードB708は空間領域を活用して、空間多重化、ビームフォーミング、および送信ダイバーシティをサポートすることができる。
【００７３】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００７４】
空間多重化を使用して、同じ周波数で同時に様々なデータストリームを送信することができる。データストリームを単一のUE710に送信してデータレートを上げること、または複数のUE710に送信して全体的なシステム容量を拡大することができる。これは、各データストリームを空間的にプリコーディングし、次いで空間的にプリコーディングされた各ストリームをダウンリンクで異なる送信アンテナを介して送信することによって達成される。空間的にプリコーディングされたデータストリームは、様々な空間シグネチャを伴いUE710に到着し、これによりUE710の各々は、当該UE710に向けられた1つまたは複数のデータストリームを回復することができる。アップリンク上では、各UE710は、1つまたは複数の空間的にプリコーディングされたデータストリームを送信することができ、これによりノードB708は空間的にプリコーディングされた各データストリームのソースを識別することができる。
【００７５】
空間多重化は、チャネル状態が良好なときに使用できる。チャネル状態がさほど好ましくないときは、ビームフォーミングを使用して送信エネルギーを1つもしくは複数の方向に集中させること、またはチャネルの特性に基づいて送信を改善することができる。これは、複数のアンテナを介して送信するデータストリームを空間的にプリコーディングすることによって達成できる。セルの端において良好なカバレージを達成するために、シングルストリームビームフォーミング伝送を送信ダイバーシティと組み合わせて使用できる。
【００７６】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００７７】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００７８】
図8を参照すると、UTRANアーキテクチャ内のアクセスネットワーク800が示されている。多元接続ワイヤレス通信システムは、セル802、804、および806を含む複数のセルラー領域(セル)を含み、セルの各々は、1つまたは複数のセクタを含み得る。複数のセクタはアンテナのグループによって形成されてよく、各々のアンテナがセルの一部にあるUEとの通信を担う。たとえば、セル802において、アンテナグループ812、814、および816は、各々異なるセクタに対応し得る。セル804において、アンテナグループ818、820、および822は、各々異なるセクタに対応する。セル806において、アンテナグループ824、826、および828は、各々異なるセクタに対応する。セル802、804、および806は、各セル802、804、または806の1つまたは複数のセクタと通信していてもよい、いくつかのワイヤレス通信デバイス、たとえばユーザ機器またはUEを含み得る。たとえば、UE830および832は、NodeB842と通信していてもよく、UE834および836は、NodeB844と通信していてもよく、UE838および840は、NodeB846と通信していてもよい。ここでは、各NodeB842、844、846は、CN704(図7参照)へのアクセスポイントを、それぞれのセル802、804、および806内のUE830、832、834、836、838、840のすべてに提供するように構成される。NodeB842、844、846、およびUE830、832、834、836、838、840は、それぞれ、たとえば、受信構成要素142、復号構成要素143、決定構成要素144、停止構成要素145、および非アクティブ化構成要素146などの上述の構成要素を実装している呼処理構成要素140(図1および図2)を含むように構成され得る。
【００７９】
UE834がセル804における図示された位置からセル806に移動するとき、サービングセル変更(SCC)またはハンドオーバが生じて、UE834との通信が、ソースセルと呼ばれ得るセル804からターゲットセルと呼ばれ得るセル806に移行することがある。UE834において、それぞれのセルに対応するNodeBにおいて、無線ネットワークコントローラ706(図7参照)において、またはワイヤレスネットワークにおける別の適切なノードにおいて、ハンドオーバプロシージャの管理が生じ得る。たとえば、ソースセル804との呼の間、または任意の他の時間において、UE834は、ソースセル804の様々なパラメータ、ならびに、セル806、および802のような近隣セルの様々なパラメータを監視することができる。さらに、これらのパラメータの品質に応じて、UE834は、近隣セルの1つまたは複数との通信を保つことができる。この期間において、UE834は、UE834が同時に接続されるセルのリストであるアクティブセットを保持することができる(すなわち、ダウンリンク専用物理チャネルDPCHまたはフラクショナルダウンリンク専用物理チャネルF-DPCHをUE834に現在割り当てているUTRAセルが、アクティブセットを構成し得る)。
【００８０】
アクセスネットワーク800によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA（登録商標）)およびTD-SCDMAなどのCDMAの他の変形態を用いるUniversal Terrestrial Radio Access(UTRA)、TDMAを用いるGlobal System for Mobile Communications(GSM（登録商標）)、ならびにOFDMAを用いるEvolved UTRA(E-UTRA)、Ultra Mobile Broadband(UMB)、IEEE 802.11(Wi-Fi)、IEEE 802.16(WiMAX)、IEEE 802.20、およびFlash-OFDMであり得る。UTRA、E-UTRA、UMTS、LTE、LTE Advanced、およびGSM（登録商標）は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００８１】
無線プロトコルアーキテクチャは、具体的な用途に応じて様々な形態をとり得る。ここでHSPAシステムに関する一例を、図9を参照して提示する。
【００８２】
図9は、ユーザ装置(UE)またはNodeB/基地局のユーザプレーンおよび制御プレーンのための無線プロトコルアーキテクチャ900の例を示す概念図である。たとえば、アーキテクチャ900は、ネットワーク112内のエンティティおよび/またはUE114(図1および図2)などの、ネットワークエンティティおよび/またはUEに含まれ得る。UEおよびノードBの無線プロトコルアーキテクチャ900は、層1、層2、および層3という3つの層908で示される。層1は最下層であり、様々な物理層の信号処理機能を実装する。したがって、層1は、物理層906を含む。層2(L2層)は、物理層906の上にあり、物理層906を通じたUEとノードBとの間のリンクを担う。層3(L3層)は、無線リソース制御(RRC)サブレイヤ916を含む。RRCサブレイヤ916は、UEとUTRANとの間の層3の制御プレーンシグナリングを処理する。
【００８３】
ユーザプレーンでは、L2層は、媒体アクセス制御(MAC)サブレイヤ910、無線リンク制御(RLC)サブレイヤ912、およびパケットデータコンバージェンスプロトコル(PDCP)サブレイヤ914を含み、これらはネットワーク側のノードBで終端する。示されないが、UEは、ネットワーク側のPDNゲートウェイで終端するネットワーク層(たとえばIP層)と、接続の他の端部(たとえば、遠端のUE、サーバなど)で終端するアプリケーション層とを含めて、L2層より上にいくつかの上位層を有し得る。
【００８４】
PDCPサブレイヤ914は、異なる無線ベアラと論理チャネルとの間の多重化を行う。PDCPサブレイヤ914はまた、無線送信のオーバーヘッドを低減するための上位層データパケットのヘッダ圧縮、データパケットの暗号化によるセキュリティ、および、ノードB間のUEのハンドオーバのサポートを実現する。RLCサブレイヤ912は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ910は、論理チャネルとトランスポートチャネルとの間の多重化を行う。MACサブレイヤ910はまた、1つのセルの中の様々な無線リソース(たとえばリソースブロック)の複数のUEへの割り当てを担う。MACサブレイヤ910はまた、HARQ動作も担う。
【００８５】
図10は、UE1050と通信しているNodeB1010を含む通信システム1000のブロック図であり、図1および図2に記載の態様によれば、NodeB1010はネットワーク112内のエンティティでよく、UE1050はUE114でよい。ダウンリンク通信では、送信プロセッサ1020は、データ源1012からデータを受信し、コントローラ/プロセッサ1040から制御信号を受信することができる。送信プロセッサ1020は、参照信号(たとえばパイロット信号)とともに、データ信号および制御信号のための様々な信号処理機能を提供する。たとえば、送信プロセッサ1020は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ1020のための、符号化方式、変調方式、拡散方式および/またはスクランブリング方式を決定するために、チャネルプロセッサ1044からのチャネル推定が、コントローラ/プロセッサ1040によって使われ得る。これらのチャネル推定は、UE1050によって送信される参照信号から、またはUE1050からのフィードバックから、導出され得る。送信プロセッサ1020によって生成されたシンボルは、フレーム構造を作成するために、送信フレームプロセッサ1030に与えられる。送信フレームプロセッサ1030は、コントローラ/プロセッサ1040からの情報とシンボルとを多重化することによって、このフレーム構造を作成し、一連のフレームが得られる。次いでこのフレームは送信機1032に与えられ、送信機1032は、アンテナ1034を通じたワイヤレス媒体によるダウンリンク送信のために、増幅、フィルタリング、およびフレームのキャリア上への変調を含む、様々な信号調整機能を提供する。アンテナ1034は、たとえば、ビームステアリング双方向適応アンテナアレイまたは他の同様のビーム技術を含む、1つまたは複数のアンテナを含み得る。
【００８６】
UE1050において、受信機1054は、アンテナ1052を通じてダウンリンク送信を受信し、その送信を処理してキャリア上へ変調されている情報を回復する。受信機1054によって回復された情報は、受信フレームプロセッサ1060に与えられ、受信フレームプロセッサ1060は、各フレームを解析し、フレームからの情報をチャネルプロセッサ1094に提供し、データ信号、制御信号、および参照信号を受信プロセッサ1070に提供する。受信プロセッサ1070は次いで、NodeB1010中の送信プロセッサ1020によって実行される処理の逆を実行する。より具体的には、受信プロセッサ1070は、シンボルを逆スクランブルおよび逆拡散し、次いで変調方式に基づいて、NodeB1010によって送信された、最も可能性の高い信号配列点を求める。これらの軟判定は、チャネルプロセッサ1094によって計算されるチャネル推定に基づき得る。そして軟判定は、データ信号、制御信号、および参照信号を回復するために、復号されてデインターリーブされる。そして、フレームの復号が成功したかどうか判断するために、CRCコードが確認される。次いで、復号に成功したフレームによって搬送されるデータがデータシンク1072に与えられ、データシンク1072は、UE1050および/または様々なユーザインターフェース(たとえばディスプレイ)において実行されているアプリケーションを表す。復号に成功したフレームが搬送する制御信号は、コントローラ/プロセッサ1090に与えられる。受信プロセッサ1070によるフレームの復号が失敗すると、コントローラ/プロセッサ1090は、確認応答(ACK)プロトコルおよび/または否定応答(NACK)プロトコルを用いて、そうしたフレームの再送信要求をサポートすることもできる。
【００８７】
アップリンクでは、データ源1078からのデータおよびコントローラ/プロセッサ1090からの制御信号が、送信プロセッサ1080に与えられる。データ源1078は、UE1050で実行されているアプリケーションおよび様々なユーザインターフェース(たとえばキーボード)を表し得る。NodeB1010によるダウンリンク送信に関して説明する機能と同様に、送信プロセッサ1080は、CRCコード、FECを支援するための符号化およびインターリービング、信号配列へのマッピング、OVSFによる拡散、および、一連のシンボルを生成するためのスクランブリングを含む、様々な信号処理機能を提供する。NodeB1010によって送信される参照信号から、または、NodeB1010によって送信されるミッドアンブル中に含まれるフィードバックから、チャネルプロセッサ1094によって導出されるチャネル推定が、適切な符号化方式、変調方式、拡散方式、および/またはスクランブリング方式を選択するために、使われ得る。送信プロセッサ1080によって生成されたシンボルは、フレーム構造を作成するために、送信フレームプロセッサ1082に与えられる。送信フレームプロセッサ1082は、コントローラ/プロセッサ1090からの情報とシンボルとを多重化することによって、このフレーム構造を作成し、一連のフレームが得られる。次いでこのフレームは送信機1056に与えられ、送信機1056は、アンテナ1052を通じたワイヤレス媒体によるアップリンク送信のために、増幅、フィルタリング、およびフレームのキャリア上への変調を含む、様々な信号調整機能を提供する。
【００８８】
アップリンク送信は、UE1050において受信機機能に関して説明されたのと同様の方式で、NodeB1010において処理される。受信機1035は、アンテナ1034を通じてアップリンク送信を受信し、その送信を処理してキャリア上へ変調されている情報を回復する。受信機1035によって回復された情報は、受信フレームプロセッサ1036に与えられ、受信フレームプロセッサ1036は、各フレームを解析し、フレームからの情報をチャネルプロセッサ1044に提供し、データ信号、制御信号、および参照信号を受信プロセッサ1038に提供する。受信プロセッサ1038は、UE1050中の送信プロセッサ1080によって実行される処理の逆を実行する。次いで、復号に成功したフレームによって搬送されるデータ信号および制御信号が、データシンク1039およびコントローラ/プロセッサにそれぞれ与えられ得る。フレームの一部が、受信プロセッサによる復号に失敗すると、コントローラ/プロセッサ1040は、確認応答(ACK)プロトコルおよび/または否定応答(NACK)プロトコルを用いて、そうしたフレームの再送信要求をサポートすることもできる。
【００８９】
コントローラ/プロセッサ1040および1090は、それぞれNodeB1010およびUE1050における動作を指示するために使われ得る。たとえば、コントローラ/プロセッサ1040および1090は、タイミング、周辺インターフェース、電圧調整、電力管理、および他の制御機能を含む、様々な機能を提供することができる。メモリ1042および1092のコンピュータ可読記録媒体は、それぞれ、NodeB1010およびUE1050のためのデータおよびソフトウェアを記憶することができる。NodeB1010におけるスケジューラ/プロセッサ1046は、リソースをUEに割り振り、UEのダウンリンク送信および/またはアップリンク送信をスケジューリングするために、使われ得る。
【００９０】
W-CDMA（登録商標）システムを参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。
【００９１】
例として、様々な態様は、他のUMTS、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.10(WiMAX)、IEEE 802.20、Ultra-Wideband(UWB)、Bluetooth（登録商標）、および/または他の適切なシステムを利用するシステムに拡張され得る。実際の利用される電気通信規格、ネットワークアーキテクチャ、および/または通信規格は、具体的な用途およびシステム全体に課される設計制約に依存する。
【００９２】
本開示の様々な態様によれば、要素または要素の一部分または要素の組合せを、1つまたは複数のプロセッサを含む「処理システム」またはプロセッサ(図4または図6)で実装できる。プロセッサの例として、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読記録媒体606(図6)上に存在し得る。コンピュータ可読記録媒体606(図6)は、非一時的コンピュータ可読記録媒体であってよい。非一時的コンピュータ可読記録媒体は、例として、磁気記憶デバイス(たとえば、ハードディスク、フロッピー（登録商標）ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。また、コンピュータ可読記録媒体は、例として、搬送波、伝送路、ならびに、コンピュータがアクセスし読み取ることができるソフトウェアおよび/または命令を送信するための任
意の他の適切な媒体も含み得る。コンピュータ可読記録媒体は、処理システムの中に存在してもよく、処理システムの外に存在してもよく、または処理システムを含む複数のエンティティに分散してもよい。コンピュータ可読記録媒体は、コンピュータプログラム製品として具現化され得る。例として、コンピュータプログラム製品は、パッケージング材料内のコンピュータ可読記録媒体を含み得る。当業者は、具体的な用途およびシステム全体に課される全体的な設計制約に応じて、本開示全体にわたって示される説明する機能を最善の形で実装する方法を認識するだろう。
【００９３】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００９４】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。項目の列挙「のうちの少なくとも1つ」という語句は、単一の要素を含め、それらの項目の任意の組合せを意味する。たとえば、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明した様々な態様の要素と構造的かつ機能的に同等のものはすべて、参照により本明細書に明確に組み込まれ、請求項によって包含されることが意図される。また、本明細書で開示する内容は、そのような開示が請求項で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００９５】
100  ワイヤレス通信システム
112  ネットワーク
114  UE
116  ワイヤレスサービングノード
123  信号
124  信号
125  ワイヤレスリンク
140  呼処理構成要素
142  受信構成要素
143  復号構成要素
144  決定構成要素
145  停止構成要素
146  非アクティブ化構成要素
147  省略構成要素
152  TPCコマンド
300  方法
400  コンピュータシステム
480  コンピュータデバイス
482  プロセッサ
484  メモリ
486  通信構成要素
488  データストア
489  ユーザインターフェース構成要素
590  例示的システム
591  論理グループ
592  電気的構成要素
593  電気的構成要素
594  電気的構成要素
595  電気的構成要素
596  電気的構成要素
599  メモリ
600  装置
602  バス
604  プロセッサ
606  コンピュータ可読記録媒体
608  バスインターフェース
600  コンピュータデバイス
610  トランシーバ
612  ユーザインターフェース
614  処理システム
700  UMTSシステム
702  UMTS Terrestrial Radio Access Network(UTRAN)
704  コアネットワーク(CN)
706  RNC、無線ネットワークコントローラ
707  RNS
708  NodeB、ノードB
710  ユーザ機器(UE)
711  汎用加入者識別モジュール(USIM)
712  MSC
714  GMSC
715  ホームロケーションレジスタ(HLR)
716  回線交換ネットワーク
718  サービングGPRSサポートノード(SGSN)
720  ゲートウェイGPRSサポートノード(GGSN)
722  パケットベースネットワーク
800  アクセスネットワーク
802  セル
804  セル、ソースセル
806  セル
812  アンテナグループ
814  アンテナグループ
816  アンテナグループ
818  アンテナグループ
820  アンテナグループ
822  アンテナグループ
824  アンテナグループ
826  アンテナグループ
828  アンテナグループ
830  UE
832  UE
834  UE
836  UE
838  UE
840  UE
842  NodeB
844  NodeB
846  NodeB
900  無線プロトコルアーキテクチャ
906  物理層
908  3つの層(層1、層2、層3)
910  媒体アクセス制御(MAC)サブレイヤ
912  無線リンク制御(RLC)サブレイヤ
914  パケットデータコンバージェンスプロトコル(PDCP)サブレイヤ
916  無線リソース制御(RRC)サブレイヤ
1000  通信システム
1010  NodeB
1012  データ源
1020  送信プロセッサ
1030  送信フレームプロセッサ
1032  送信機
1034  アンテナ
1035  受信機
1036  受信フレームプロセッサ
1038  受信プロセッサ
1039  データシンク
1040  コントローラ/プロセッサ
1042  メモリ
1044  チャネルプロセッサ
1046  スケジューラ/プロセッサ
1050  UE
1052  アンテナ
1054  受信機
1056  送信機
1060  受信フレームプロセッサ
1070  受信プロセッサ
1072  データシンク
1078  データ源
1080  送信プロセッサ
1082  送信フレームプロセッサ
1090  コントローラ/プロセッサ
1092  メモリ
1094  チャネルプロセッサ
【図１】
0005992635.tif 000002
【図２】
0005992635.tif 000003
【図３】
0005992635.tif 000004
【図４】
0005992635.tif 000005
【図５】
0005992635.tif 000006
【図６】
0005992635.tif 000007
【図７】
0005992635.tif 000008
【図８】
0005992635.tif 000009
【図９】
0005992635.tif 000010
【図１０】
0005992635.tif 000011